(57)【要約】【課題】  周辺音の大きさや周辺の光量や撮影距離が様々に異なる状況であっても、被撮影者に対して撮影されることを十分に認識できる撮影通知を行い、それによって盗撮などを確実に防止することができる盗撮防止装置、盗撮防止装置を備えた携帯端末、盗撮防止方法、および盗撮防止プログラムを提供する。【解決手段】  周辺光量を検出する光量検出手段４と、周辺音量を検出する音量検出手段６と、被写体距離を検出する距離検出手段５と、光量が可変である発光手段８と、音量が可変である音発生手段９と、周辺光量と被写体距離とに応じた通知光量を設定するとともに周辺音量と被写体距離とに応じた通知音量を設定する光量・音量設定手段７とを備え、設定された通知光量の撮影通知光を発光手段８から発光させるとともに、設定された通知音量の撮影通知音を音発生手段９から発生させる。【選択図】  図１
2005303719.tif 000002
【特許請求の範囲】
【請求項１】
撮像機能を有する携帯端末に使用される盗撮防止装置であって、
周辺光量を検出する光量検出手段と、
周辺音量を検出する音量検出手段と、
被写体までの被写体距離を検出する距離検出手段と、
光量が可変である発光手段と、
音量が可変である音発生手段と、
前記光量検出手段で検出された周辺光量と前記距離検出手段で検出された被写体距離とに応じた通知光量を設定するとともに、前記音量検出手段で検出された周辺音量と前記距離検出手段で検出された前記被写体距離とに応じた通知音量を設定する光量・音量設定手段とを備え、
前記撮像機能による撮像時に、前記光量・音量設定手段で設定された前記通知光量の撮影通知光を前記発光手段から発光させるとともに、前記光量・音量設定手段で設定された前記通知音量の撮影通知音を前記音発生手段から発生させることを特徴とする盗撮防止装置。
【請求項２】
撮像機能を有する携帯端末に使用される盗撮防止装置であって、
周辺音量を検出する音量検出手段と、
被写体までの被写体距離を検出する距離検出手段と、
音量が可変である音発生手段と、
前記音量検出手段で検出された周辺音量と前記距離検出手段で検出された被写体距離とに応じた通知音量を設定する音量設定手段とを備え、
前記撮像機能による撮像時に、前記音量設定手段で設定された前記通知音量の撮影通知音を前記音発生手段から発生させることを特徴とする盗撮防止装置。
【請求項３】
撮像機能を有する携帯端末に使用される盗撮防止装置であって、
周辺音量を検出する音量検出手段と、
音量が可変である音発生手段と、
前記音量検出手段で検出された周辺音量に応じた通知音量を設定する音量設定手段とを備え、
前記撮像機能による撮像時に、前記音量設定手段で設定された前記通知音量の撮影通知音を前記音発生手段から発生させることを特徴とする盗撮防止装置。
【請求項４】
撮像機能を有する携帯端末に使用される盗撮防止装置であって、
被写体までの被写体距離を検出する距離検出手段と、
音量が可変である音発生手段と、
前記距離検出手段で検出された被写体距離に応じた通知音量を設定する音量設定手段とを備え、
前記撮像機能による撮像時に、前記音量設定手段で設定された前記通知音量の撮影通知音を前記音発生手段から発生させることを特徴とする盗撮防止装置。
【請求項５】
撮像機能を有する携帯端末に使用される盗撮防止装置であって、
周辺光量を検出する光量検出手段と、
被写体までの被写体距離を検出する距離検出手段と、
光量が可変である発光手段と、
前記光量検出手段で検出された周辺光量と前記距離検出手段で検出された被写体距離とに応じた通知光量を設定する光量設定手段とを備え、
前記撮像機能による撮像時に、前記光量設定手段で設定された前記通知光量の撮影通知光を前記発光手段から発光させることを特徴とする盗撮防止装置。
【請求項６】
撮像機能を有する携帯端末に使用される盗撮防止装置であって、
周辺光量を検出する光量検出手段と、
光量が可変である発光手段と、
前記光量検出手段で検出された周辺光量に応じた通知光量を設定する光量設定手段とを備え、
前記撮像機能による撮像時に、前記光量設定手段で設定された前記通知光量の撮影通知光を前記発光手段から発光させることを特徴とする盗撮防止装置。
【請求項７】
撮像機能を有する携帯端末に使用される盗撮防止装置であって、
被写体までの被写体距離を検出する距離検出手段と、
光量が可変である発光手段と、
前記距離検出手段で検出された被写体距離に応じた通知光量を設定する光量設定手段とを備え、
前記撮像機能による撮像時に、前記光量設定手段で設定された前記通知光量の撮影通知光を前記発光手段から発光させることを特徴とする盗撮防止装置。
【請求項８】
請求項１、５、６のいずれか１項に記載の盗撮防止装置において、
前記携帯端末は、撮像機能のために使用する撮像素子を備えており、
前記光量検出手段は、前記撮像素子の出力に基づいて周辺光量を検出することを特徴とする盗撮防止装置。
【請求項９】
請求項１〜３のいずれか１項に記載の盗撮防止装置において、
前記音量検出手段はマイクであることを特徴とする盗撮防止装置。
【請求項１０】
請求項１、２、４、５、７のいずれか１項に記載の盗撮防止装置において、
前記携帯端末は、撮像機能のために使用する撮像素子と、被写体からの光を前記撮像素子に導く移動可能な光学系と、前記撮像素子からの出力に基づいて前記光学系を合焦位置へ移動させる合焦手段とを備えており、
前記距離検出手段は、前記光学系の前記合焦位置に基づいて前記被写体距離を検出することを特徴とする盗撮防止装置。
【請求項１１】
請求項１、５〜７のいずれか１項に記載の盗撮防止装置において、
前記発光手段はＬＥＤであることを特徴とする盗撮防止装置。
【請求項１２】
請求項１〜４のいずれか１項に記載の盗撮防止装置において、
前記音発生手段はスピーカーであることを特徴とする盗撮防止装置。
【請求項１３】
請求項１〜１２のいずれか１項に記載の盗撮防止装置を備えた携帯端末。
【請求項１４】
前記携帯端末は携帯電話機であることを特徴とする請求項１３に記載の携帯端末。
【請求項１５】
撮像機能を有する携帯端末に使用される盗撮防止方法であって、
周辺光量を検出する光量検出工程と、
周辺音量を検出する音量検出工程と、
被写体までの被写体距離を検出する距離検出工程と、
光量が可変である発光工程と、
音量が可変である音発生工程と、
前記光量検出工程で検出された周辺光量と前記距離検出工程で検出された被写体距離とに応じた通知光量を設定するとともに、前記音量検出工程で検出された周辺音量と前記距離検出工程で検出された前記被写体距離とに応じた通知音量を設定する光量・音量設定工程と、
前記撮像機能による撮像時に、前記光量・音量設定工程で設定された前記通知光量の撮影通知光を前記発光手段から発光させるとともに、前記光量・音量設定工程で設定された前記通知音量の撮影通知音を前記音発生手段から発生させる撮影通知工程とを備えることを特徴とする盗撮防止方法。
【請求項１６】
請求項１５に記載の盗撮防止方法をコンピュータに実行させることを特徴とする盗撮防止プログラム。
【発明の詳細な説明】
【技術分野】
【０００１】
本発明は、携帯端末などに内蔵されているカメラによる盗撮を防止する盗撮防止装置、盗撮防止装置を備えた携帯端末、盗撮防止方法、および盗撮防止プログラムに関する。
【背景技術】
【０００２】
従来、カメラなどによって被撮影者が撮影を知ることなく撮影（盗撮）されたり、プライバシーを侵害されたりするなどの問題がある。特に、カメラ付き携帯電話の普及により、このような盗撮は大きな社会問題となっている。そのため、多くのカメラ付き携帯電話では、撮影時に光および音を発生させて被撮影者に撮影を通知することにより、このような盗撮の防止を図っている。
【０００３】
光学式カメラや電子スチルカメラの中にはリモートコントロール撮像が可能なものもあるが、そのようなカメラに適した盗撮防止装置が提案されている（例えば、特許文献１参照。）。この盗撮防止装置は、リモートコントロール撮影機能を持つカメラ部と、前記カメラ部をリモート制御するためのリモートコントロール受信装置と、リモートコントロールによる撮影を行う際に警告音を発生する警告音発生部とを備えたことを特徴とするものである。この盗撮防止装置では、リモートコントロールによる撮影を行う際に、撮影を行おうとする者の意志に関わらず警告音を発生するので、警告音が届く範囲で撮影された人が撮影されたことを把握して対処でき、盗撮などを防止できる。
【０００４】
ところが、この盗撮防止装置では、撮影者によって不正な改造が行われて警告音発生部から警告音が発生しなくなったり、外部にほとんど聞こえなくなったりすると、周囲の人にとっては撮影されたことが把握できなくなってしまう。
【０００５】
そこで、通知音の反射音、および通知光の反射光をそれぞれ計測し、一定以上の反射が計測されない場合には処理を中止することにより、不正改造が行われた場合にもそのことを検出して、盗撮などを防止できる通信端末が提案されている（例えば、特許文献２参照。）。この通信端末は、通信機能を有する通信手段を備えた通信端末において、照射光を照射する照明手段と、前記照明手段から照射された前記照射光の反射光を検出する反射光検出手段と、前記反射光検出手段により前記反射光が検出された場合にのみ通信を行わせるよう前記通信手段を制御する通信制御手段とを具備することを特徴とするものである。あるいは、通信機能を有する通信手段を備えた通信端末において、音を出力する音出力手段と、前記音出力手段から出力された出力音の反射音を検出する反射音検出手段と、前記反射音検出手段により前記反射音が検出された場合にのみ通信を行わせるよう前記通信手段を制御する通信制御手段とを具備することを特徴とするものである。これらの通信端末では、撮影者によって照明手段や音出力手段に不正な改造（例えば、スピーカーを塞ぐ、ライトを遮るなど）が行われた場合であっても、盗撮などは防止される。
【特許文献１】特開平１０−３１２６５号公報
【特許文献２】特開２００３−２１８９９２号公報
【発明の開示】
【発明が解決しようとする課題】
【０００６】
図７は、上述の特許文献２のような従来技術の盗撮防止装置１００の効果を説明する概略図である。図７に示すように、従来技術の盗撮防止装置１００が備えられている撮像装置１０１の通知音Ｓ１００の音量や通知光Ｌ１００の光量は常に一定であった。そのため、通知音Ｓ１００については、雑音などの周辺音量Ｓ０が大きい雑踏などの状況では、被撮影者３が認識するのに十分な音量とはならない場合がある。そうすると、結果的には被撮影者３に撮影を通知できないことになり、盗撮などの防止には不十分であった。
【０００７】
また、最近の拡大撮影機能付の撮像装置１０１では、被撮影者３との距離Ｄが離れていることも考えられるが、そのような状況で一定音量の通知音Ｓ１００や一定光量の通知光Ｌ１００では、被撮影者３が認識するには十分でない場合がある。そうすると、やはり被撮影者３に撮影を通知できないことになり、盗撮などの防止には不十分であった。
【０００８】
従来技術のこのような課題に鑑み、本発明の目的は、周辺音の大きさや周辺の光量や撮影距離が様々に異なる状況であっても、被撮影者に対して撮影されることを十分に認識できる撮影通知を行い、それによって盗撮などを確実に防止することができる盗撮防止装置、盗撮防止装置を備えた携帯端末、盗撮防止方法、および盗撮防止プログラムを提供することである。
【課題を解決するための手段】
【０００９】
上記目的を達成するため、本発明の盗撮防止装置は、撮像機能を有する携帯端末に使用される盗撮防止装置であって、周辺光量を検出する光量検出手段と、周辺音量を検出する音量検出手段と、被写体までの被写体距離を検出する距離検出手段と、光量が可変である発光手段と、音量が可変である音発生手段と、前記光量検出手段で検出された周辺光量と前記距離検出手段で検出された被写体距離とに応じた通知光量を設定するとともに、前記音量検出手段で検出された周辺音量と前記距離検出手段で検出された前記被写体距離とに応じた通知音量を設定する光量・音量設定手段とを備え、前記撮像機能による撮像時に、前記光量・音量設定手段で設定された前記通知光量の撮影通知光を前記発光手段から発光させるとともに、前記光量・音量設定手段で設定された前記通知音量の撮影通知音を前記音発生手段から発生させることを特徴とする。
【００１０】
ここで、前記光量検出手段は、前記携帯端末が撮像機能のために使用する撮像素子を備えている場合には、この撮像素子の出力に基づいて周辺光量を検出するものでもよいが、これに限るものではない。前記音量検出手段としては、例えば、マイクが挙げられるが、これに限るものではない。前記距離検出手段は、前記携帯端末が撮像機能のために使用する撮像素子と、被写体からの光を前記撮像素子に導く移動可能な光学系と、前記撮像素子からの出力に基づいて前記光学系を合焦位置へ移動させる合焦手段とを備えている場合には、前記光学系の前記合焦位置に基づいて前記被写体距離を検出するものでもよいが、これに限るものではない。前記発光手段としては、例えば、ＬＥＤが挙げられるが、これに限るものではない。前記音発生手段としては、例えば、スピーカーが挙げられるが、これに限るものではない。
【００１１】
この発明の盗撮防止装置によれば、雑音や周囲光や遠距離などの要因により、従来のように一定音量の撮影通知音や一定光量の撮影通知光では被撮影者に撮影の通知が確実には行えないような状況においても、撮影通知音の音量や撮影通知光の光量を調整し、被撮影者が認識するのに十分な音量および光量にすることができる。これにより、被撮影者に対する撮影通知が確実に行われるので、盗撮などを防止することができる。
【００１２】
あるいは、本発明の盗撮防止装置は、撮像機能を有する携帯端末に使用される盗撮防止装置であって、周辺音量を検出する音量検出手段と、被写体までの被写体距離を検出する距離検出手段と、音量が可変である音発生手段と、前記音量検出手段で検出された周辺音量と前記距離検出手段で検出された被写体距離とに応じた通知音量を設定する音量設定手段とを備え、前記撮像機能による撮像時に、前記音量設定手段で設定された前記通知音量の撮影通知音を前記音発生手段から発生させることを特徴としてもよい。あるいは、本発明の盗撮防止装置は、撮像機能を有する携帯端末に使用される盗撮防止装置であって、周辺音量を検出する音量検出手段と、音量が可変である音発生手段と、前記音量検出手段で検出された周辺音量に応じた通知音量を設定する音量設定手段とを備え、前記撮像機能による撮像時に、前記音量設定手段で設定された前記通知音量の撮影通知音を前記音発生手段から発生させることを特徴としてもよい。あるいは、本発明の盗撮防止装置は、撮像機能を有する携帯端末に使用される盗撮防止装置であって、被写体までの被写体距離を検出する距離検出手段と、音量が可変である音発生手段と、前記距離検出手段で検出された被写体距離に応じた通知音量を設定する音量設定手段とを備え、前記撮像機能による撮像時に、前記音量設定手段で設定された前記通知音量の撮影通知音を前記音発生手段から発生させることを特徴としてもよい。
【００１３】
これらの発明の盗撮防止装置によれば、雑音や遠距離などの要因により、従来のように一定音量の撮影通知音では被撮影者に撮影の通知が確実には行えないような状況においても、撮影通知音の音量を調整し、被撮影者が認識するのに十分な音量にすることができる。これにより、被撮影者に対する撮影通知が確実に行われるので、盗撮などを防止することができる。
【００１４】
あるいは、本発明の盗撮防止装置は、撮像機能を有する携帯端末に使用される盗撮防止装置であって、周辺光量を検出する光量検出手段と、被写体までの被写体距離を検出する距離検出手段と、光量が可変である発光手段と、前記光量検出手段で検出された周辺光量と前記距離検出手段で検出された被写体距離とに応じた通知光量を設定する光量設定手段とを備え、前記撮像機能による撮像時に、前記光量設定手段で設定された前記通知光量の撮影通知光を前記発光手段から発光させることを特徴としてもよい。あるいは、本発明の盗撮防止装置は、撮像機能を有する携帯端末に使用される盗撮防止装置であって、周辺光量を検出する光量検出手段と、光量が可変である発光手段と、前記光量検出手段で検出された周辺光量に応じた通知光量を設定する光量設定手段とを備え、前記撮像機能による撮像時に、前記光量設定手段で設定された前記通知光量の撮影通知光を前記発光手段から発光させることを特徴としてもよい。あるいは、本発明の盗撮防止装置は、撮像機能を有する携帯端末に使用される盗撮防止装置であって、被写体までの被写体距離を検出する距離検出手段と、光量が可変である発光手段と、前記距離検出手段で検出された被写体距離に応じた通知光量を設定する光量設定手段とを備え、前記撮像機能による撮像時に、前記光量設定手段で設定された前記通知光量の撮影通知光を前記発光手段から発光させることを特徴としてもよい。
【００１５】
これらの発明の盗撮防止装置によれば、周囲光や遠距離などの要因により、従来のように一定光量の撮影通知光では被撮影者に撮影の通知が確実には行えないような状況においても、撮影通知光の光量を調整し、被撮影者が認識するのに十分な光量にすることができる。これにより、被撮影者に対する撮影通知が確実に行われるので、盗撮などを防止することができる。
【００１６】
あるいは、上記目的を達成するため、本発明の携帯端末は、上記のような特徴を有するいずれかの盗撮防止装置を備えている。
【００１７】
ここで、前記携帯端末としては、撮像機能を有しているもので、例えば、カメラ付き携帯電話機、ＰＤＡ（Personal Digital Assistant）、可搬性を重視したノート型コンピュータなどが挙げられるが、これらに限るものではない。
【００１８】
この発明の携帯端末によれば、撮像機能を使用して撮影を行う際には、被撮影者に対する撮影通知が音や光で確実に行われるので、盗撮などを防止することができる。
【００１９】
あるいは、上記目的を達成するため、本発明の盗撮防止方法は、撮像機能を有する携帯端末に使用される盗撮防止方法であって、周辺光量を検出する光量検出工程と、周辺音量を検出する音量検出工程と、被写体までの被写体距離を検出する距離検出工程と、光量が可変である発光工程と、音量が可変である音発生工程と、前記光量検出工程で検出された周辺光量と前記距離検出工程で検出された被写体距離とに応じた通知光量を設定するとともに、前記音量検出工程で検出された周辺音量と前記距離検出工程で検出された前記被写体距離とに応じた通知音量を設定する光量・音量設定工程と、前記撮像機能による撮像時に、前記光量・音量設定工程で設定された前記通知光量の撮影通知光を前記発光手段から発光させるとともに、前記光量・音量設定工程で設定された前記通知音量の撮影通知音を前記音発生手段から発生させる撮影通知工程とを備えることを特徴とする。
【００２０】
この発明の盗撮防止方法によれば、雑音や周囲光や遠距離などの要因により、従来のように一定音量の撮影通知音や一定光量の撮影通知光では被撮影者に撮影の通知が確実には行えないような状況においても、撮影通知音の音量や撮影通知光の光量を調整し、被撮影者が認識するのに十分な音量および光量にすることができる。これにより、被撮影者に対する撮影通知が確実に行われるので、盗撮などを防止することができる。
【００２１】
あるいは、上記目的を達成するため、本発明の盗撮防止プログラムは、コンピュータに上記盗撮防止方法を実行させることを特徴とする。
【００２２】
この発明の盗撮防止プログラムによれば、盗撮防止プログラムが実行可能なコンピュータがあれば、本発明の盗撮防止方法を実行可能な携帯端末などの開発や製造が容易になる。汎用的なワンチップマイコンなどを使用すれば、携帯端末などのコストダウンや小型化などにも貢献できる。
【発明の効果】
【００２３】
本発明の盗撮防止装置および盗撮防止方法によれば、雑音や周囲光や遠距離などの要因により、従来のように一定音量の撮影通知音や一定光量の撮影通知光では被撮影者に撮影の通知が確実には行えないような状況においても、撮影通知音の音量や撮影通知光の光量を調整し、被撮影者が認識するのに十分な音量および光量にすることができる。これにより、被撮影者に対する撮影通知が確実に行われるので、盗撮などを防止することができる。
【００２４】
また、本発明の盗撮防止プログラムによれば、盗撮防止プログラムが実行可能なコンピュータがあれば、本発明の盗撮防止方法を実行可能な携帯端末などの開発や製造が容易になる。汎用的なワンチップマイコンなどを使用すれば、携帯端末などのコストダウンや小型化などにも貢献できる。
【発明を実施するための最良の形態】
【００２５】
以下、本発明の実施形態を、図面を参照して説明する。
【００２６】
＜第１実施形態＞
図１は、本発明の第１実施形態に係る盗撮防止装置１の概略構成を示すブロック図である。図２は、本発明の第１実施形態に係る盗撮防止装置１の効果を説明する概略図である。なお、この盗撮防止装置１は、撮像機能とオートフォーカス機能（合焦機能）とを有するデジタルカメラ装置と、携帯電話機能装置とを一体的に構成したカメラ付き携帯電話装置２に適用されているものとするが、本発明の適用はカメラ付き携帯電話装置に限るものではない。
【００２７】
図１および図２に示すように、盗撮防止装置１は、光量測定部４と、距離測定部５と、マイク６と、光量・音量設定部７と、ＬＥＤ８と、スピーカー９とを備えている。
【００２８】
光量測定部４は、カメラ付き携帯電話装置２が有するＣＣＤなどの撮像素子（不図示）が検出する単位時間あたりの光量を基にして周辺光量Ｌ０を検出するとともに、ＬＥＤ８が撮影通知光Ｌ１を発光する時には、被撮影者３などによって反射される反射光Ｌ１ｒを検出する。
【００２９】
距離測定部５は、カメラ付き携帯電話装置２が有するレンズ（不図示）がオートフォーカス機能によって合焦した時のレンズ位置を基にして被撮影者３（被写体）までの距離Ｄを検出する。
【００３０】
マイク６は、カメラ付き携帯電話装置２が携帯電話機能装置として使用される場合には、通話者の声を入力し、カメラ付き携帯電話装置２がデジタルカメラ装置として使用される場合には、周辺音量Ｓ０を検出するとともに、スピーカー９が撮影通知音Ｓ１を発生する時には反射音Ｓ１ｒを検出する。
【００３１】
光量・音量設定部７は、光量測定部４によって検出された周辺光量Ｌ０と、距離測定部５によって検出された被撮影者３までの距離Ｄと、マイク６によって検出された周辺音量Ｓ０とに基づいて、ＬＥＤ８が撮影通知光Ｌ１を発光する時の光量（以下、「通知光量」という）、およびスピーカー９が撮影通知音Ｓ１を発生する時の音量（以下、「通知音量」という）を設定する。
【００３２】
ＬＥＤ８は、光量が可変である発光手段であり、カメラ付き携帯電話装置２がデジタルカメラ装置として使用される場合には、光量・音量設定部７で設定された光量で撮影通知光Ｌ１を発光し、カメラ付き携帯電話装置２が携帯電話機能装置として使用される場合には、着信時に発光して使用者に着信を知らせる。
【００３３】
スピーカー９は、音量が可変である音発生手段であり、カメラ付き携帯電話装置２がデジタルカメラ装置として使用される場合には、光量・音量設定部７で設定された音量で撮影通知音Ｓ１を発生し、カメラ付き携帯電話装置２が携帯電話機能装置として使用される場合には、着信時に電子音を発生したり音楽などを再生したりして使用者に着信を知らせる。
【００３４】
マイク６、ＬＥＤ８、スピーカー９はカメラ付き携帯電話装置２に元々備わっているものであり、本実施形態ではこれらを盗撮防止装置１の構成要素としても利用している。ただし、本発明はこれに限るものではなく、マイク６、ＬＥＤ８、スピーカー９の一部または全部について、盗撮防止装置１専用の構成要素を別に設けるようにしてもよい。例えば、ＬＥＤ８については、カメラ付き携帯電話装置２の撮像画角内に照射方向を限定して強い光を照射できるようなものを使用してもよい。
【００３５】
また、光量測定部４は、カメラ付き携帯電話装置２が有する撮像素子の出力に基づいて周辺光量Ｌ０を検出しているが、これに限るものではなく、例えば、専用の測光素子を備えるようにしてもよい。距離測定部５は、カメラ付き携帯電話装置２が有するレンズがオートフォーカス機能によって合焦した時のレンズ位置を基にして被撮影者３までの距離Ｄを検出しているが、これに限るものではなく、例えば、専用の測距素子を備えるようにしてもよい。
【００３６】
図３は、本発明の第１実施形態に係る盗撮防止装置１が適用されたカメラ付き携帯電話装置２の盗撮防止方法の概略を示すフローチャートである。
【００３７】
図３に示すように、撮影者が撮影をしようとするときには、カメラ付き携帯電話装置２に備えられている撮像ボタン（不図示）が押し下げられる（ステップ１５）。
【００３８】
撮像ボタンが押し下げられたことが検出されると、まず、オートフォーカス機能によってレンズが合焦位置へ移動され、そのときのレンズ位置を基にして距離測定部５によって被撮影者３までの距離Ｄが検出される（ステップ１６）。光量測定部４によって周辺光量Ｌ０が検出され、適正な露出を行うために画面内の平均の明るさが適切になる露光時間が測定される（ステップ１７）。さらに、マイク６によって、周辺音量Ｓ０が測定される（ステップ１８）。
【００３９】
光量・音量設定部７では、ステップ１６で得られた被撮影者３までの距離Ｄと、ステップ１７で得られた周辺光量Ｌ０と、ステップ１８で得られた周辺音量Ｓ０とに基づいて、ＬＥＤ８の通知光量およびスピーカー９の通知音量が設定される（ステップ１９）。なお、このステップ１９における光量・音量設定処理はサブルーチン内で行われるが、その処理については、図４を参照して後述する。
【００４０】
次に、撮像素子から画像が取得することによって撮像を行い（ステップ２０）、ＬＥＤ８がステップ１９で設定された通知光量で撮影通知光Ｌ１を発光し（ステップ２１）、スピーカー９がステップ１９で設定された通知音量で撮影通知音Ｓ１を発生する（ステップ２２）。
【００４１】
このとき、撮影通知光Ｌ１が実際に発光したかどうかを確認するために、光量測定部４によって反射光Ｌ１ｒが測定され（ステップ２３）、マイク６によって反射音Ｓ１ｒが測定される（ステップ２４）。そして、ステップ２３で測定された反射光Ｌ１ｒが所定光量以上か否かが判断され（ステップ２５）、反射光Ｌ１ｒが所定光量以上の場合はさらに、ステップ２４で測定された反射音Ｓ１ｒが所定音量以上か否かが判断される（ステップ２６）。
【００４２】
反射光Ｌ１ｒが所定光量以上で、かつ、反射音Ｓ１ｒが所定音量以上だった場合には、撮影通知光Ｌ１および撮影通知音Ｓ１による被撮影者３への撮影通知が適切に行われているので、ステップ２０の撮像で取得された画像がカメラ付き携帯電話装置２内部のメモリ（不図示）に保存される（ステップ２７）。反射光Ｌ１ｒが所定光量未満だった場合、または、反射音Ｓ１ｒが所定音量未満だった場合には、例えば、不正な改造が行われたりしていたために、撮影通知光Ｌ１および撮影通知音Ｓ１による被撮影者３への撮影通知が適切に行われなかった可能性があるので、ステップ２０の撮像で取得された画像は保存されずに破棄される（ステップ２８）。このようにして、盗撮などの可能性がある画像の保存を禁止する。
【００４３】
以上で一連の撮像処理が完了する（ステップ２９）。
【００４４】
図４は、本発明の第１実施形態に係る盗撮防止装置１が適用されたカメラ付き携帯電話装置２の盗撮防止方法における光量・音量設定処理の概略を示すフローチャートである。
【００４５】
図４に示すように、ステップ１９ａ〜１９ｃにおいて、周辺光量Ｌ０と被撮影者３までの距離Ｄとに基づいて通知光量を設定し、ステップ１９ｄ〜１９ｆにおいて、周辺音量Ｓ０と被撮影者３までの距離Ｄとに基づいて通知音量を設定する。
【００４６】
まず、通知光量の初期値として予め定められる基本光量を代入する（ステップ１９ａ）。次に、ステップ１７で検出された周辺光量Ｌ０に比例するように予め定められる所定の係数Ｋ１をその時点の通知光量に乗じ、その結果で通知光量の値を置き換える（ステップ１９ｂ）。具体例としては、周辺光量Ｌ０が明るいほど通知光量も大きくなるようにすればよいが、必ずしも単純な比例関係に限るものではない。さらに、ステップ１６で検出された被撮影者３までの距離Ｄに比例するように予め定められる所定の係数Ｋ２をその時点の通知光量に乗じ、その結果で通知光量の値を置き換える（ステップ１９ｃ）。具体例としては、距離Ｄが大きいほど通知光量も大きくなるようにすればよいが、必ずしも単純な比例関係に限るものではない。係数Ｋ１および係数Ｋ２については、人の光に対する感受性とＬＥＤ８の発光特性などを考慮して決めるようにしてもよい。
【００４７】
続けて、通知音量の初期値として予め定められる基本音量を代入する（ステップ１９ｄ）。次に、ステップ１８で検出された周辺音量Ｓ０に比例するように予め定められる所定の係数Ｋ３をその時点の通知音量に乗じ、その結果で通知音量の値を置き換える（ステップ１９ｅ）。具体例としては、周辺音量Ｓ０が大きいほど通知音量も大きくなるようにすればよいが、必ずしも単純な比例関係に限るものではない。さらに、ステップ１６で検出された被撮影者３までの距離Ｄに比例するように予め定められる所定の係数Ｋ４をその時点の通知音量に乗じ、その結果で通知音量の値を置き換える（ステップ１９ｆ）。具体例としては、距離Ｄが大きいほど通知音量も大きくなるようにすればよいが、必ずしも単純な比例関係に限るものではない。係数Ｋ３および係数Ｋ４については、人の音に対する感受性とスピーカー９の出力特性などを考慮して決めるようにしてもよい。
【００４８】
以上のようにして、通知光量は、基本光量に対して周辺光量Ｌ０および被撮影者３との距離Ｄを考慮した光量に設定変更される。通知音量は、基本音量に対して周辺音量Ｓ０および被撮影者３との距離Ｄを考慮した音量に設定変更される。
【００４９】
以上で説明した第１実施形態の構成によれば、雑音や周囲光や遠距離などの要因により、従来のように一定音量の撮影通知音や一定光量の撮影通知光では被撮影者に撮影の通知が確実には行えないような状況においても、撮影通知音の音量や撮影通知光の光量を調整し、被撮影者が認識するのに十分な音量および光量にすることができる。これにより、被撮影者に対する撮影通知が確実に行われるので、盗撮などを防止することができる。また、撮影通知音の反射音や撮影通知光の反射光をそれぞれ測定し、少なくともいずれか一方で所定量以上の反射が検出されないときには撮影した画像の保存を禁止するので、不正改造などによって撮影通知が適切になされずに盗撮などが行われてしまうことを防止できる。
【００５０】
＜第２実施形態＞
上述の第１実施形態では、撮影通知は音と光によって行われるが、本発明はこれに限るものではない。撮影通知を音のみによって行うものを第２実施形態として、次に説明する。なお、第１実施形態と同じ構成部材には同じ参照符号を付すこととし、説明は主に相違点について行う。
【００５１】
図５は、本発明の第２実施形態に係る盗撮防止装置１の概略構成を示すブロック図であり、（ａ）はその基本形を示し、（ｂ）はその変形例、（ｃ）は別の変形例である。
【００５２】
第２実施形態の基本形においては、図５（ａ）に示すように、盗撮防止装置１は、距離測定部５と、マイク６と、音量設定部７ａ１と、スピーカー９とを備えている。音量設定部７ａ１は、マイク６によって検出された周辺音量Ｓ０と、距離測定部５によって検出された被撮影者３までの距離Ｄとに基づいて、スピーカー９が撮影通知音Ｓ１を発生する時の通知音量を設定するものである。
【００５３】
第２実施形態の変形例においては、図５（ｂ）に示すように、盗撮防止装置１は、マイク６と、音量設定部７ａ２と、スピーカー９とを備えている。音量設定部７ａ２は、マイク６によって検出された周辺音量Ｓ０に基づいて、スピーカー９が撮影通知音Ｓ１を発生する時の通知音量を設定するものである。
【００５４】
第２実施形態の別の変形例においては、図５（ｃ）に示すように、盗撮防止装置１は、距離測定部５と、音量設定部７ａ３と、スピーカー９とを備えている。音量設定部７ａ３は、距離測定部５によって検出された被撮影者３までの距離Ｄに基づいて、スピーカー９が撮影通知音Ｓ１を発生する時の通知音量を設定するものである。
【００５５】
なお、これらの盗撮防止装置１の盗撮防止方法は、図３および図４を参照して説明したフローチャートから関連するステップのみを抽出して実行すればよい。
【００５６】
以上で説明した第２実施形態の各構成によれば、雑音や遠距離などの要因により、従来のように一定音量の撮影通知音では被撮影者に撮影の通知が確実には行えないような状況においても、撮影通知音の音量を調整し、被撮影者が認識するのに十分な音量にすることができる。これにより、被撮影者に対する撮影通知が確実に行われるので、盗撮などを防止することができる。また、撮影通知音の反射音を測定し、所定量以上の反射が検出されないときには撮影した画像の保存を禁止するので、不正改造などによって撮影通知が適切になされずに盗撮などが行われてしまうことを防止できる。
【００５７】
＜第３実施形態＞
撮影通知を光のみによって行うものを第３実施形態として、次に説明する。なお、第１実施形態と同じ構成部材には同じ参照符号を付すこととし、説明は主に相違点について行う。
【００５８】
図６は、本発明の第３実施形態に係る盗撮防止装置１の概略構成を示すブロック図であり、（ａ）はその基本形を示し、（ｂ）はその変形例、（ｃ）は別の変形例である。
【００５９】
第３実施形態の基本形においては、図６（ａ）に示すように、盗撮防止装置１は、光量測定部４と、距離測定部５と、光量設定部７ｂ１と、ＬＥＤ８とを備えている。光量設定部７ｂ１は、光量測定部４によって検出された周辺光量Ｌ０と、距離測定部５によって検出された被撮影者３までの距離Ｄとに基づいて、ＬＥＤ８が撮影通知光Ｌ１を発光する時の通知光量を設定するものである。
【００６０】
第３実施形態の変形例においては、図６（ｂ）に示すように、盗撮防止装置１は、光量測定部４と、光量設定部７ｂ２と、ＬＥＤ８とを備えている。光量設定部７ｂ２は、光量測定部４によって検出された周辺光量Ｌ０に基づいて、ＬＥＤ８が撮影通知光Ｌ１を発光する時の通知光量を設定するものである。
【００６１】
第３実施形態の別の変形例においては、図６（ｃ）に示すように、盗撮防止装置１は、距離測定部５と、光量設定部７ｂ３と、ＬＥＤ８とを備えている。光量設定部７ｂ３は、距離測定部５によって検出された被撮影者３までの距離Ｄに基づいて、ＬＥＤ８が撮影通知光Ｌ１を発光する時の通知光量を設定するものである。
【００６２】
なお、これらの盗撮防止装置１の盗撮防止方法は、図３および図４を参照して説明したフローチャートから関連するステップのみを抽出して実行すればよい。
【００６３】
以上で説明した第３実施形態の各構成によれば、周囲光や遠距離などの要因により、従来のように一定光量の撮影通知光では被撮影者に撮影の通知が確実には行えないような状況においても、撮影通知光の光量を調整し、被撮影者が認識するのに十分な光量にすることができる。これにより、被撮影者に対する撮影通知が確実に行われるので、盗撮などを防止することができる。また、撮影通知光の反射光を測定し、所定量以上の反射が検出されないときには撮影した画像の保存を禁止するので、不正改造などによって撮影通知が適切になされずに盗撮などが行われてしまうことを防止できる。
【００６４】
＜プログラムの実施形態＞
上述の第１実施形態〜第３実施形態の各盗撮防止方法は、上述の盗撮防止方法を実行させる盗撮防止プログラムをコンピュータに実行させることによっても実現が可能である。
【００６５】
ここで、コンピュータとしては、例えば、電子機器などへの組み込みに好適なワンチップマイコンなどが挙げられるが、これに限るものではない。
【００６６】
このような構成によれば、盗撮防止プログラムが実行可能なコンピュータがあれば、本発明の盗撮防止方法を実行可能な携帯端末などの開発や製造が容易になる。汎用的なワンチップマイコンなどを使用すれば、携帯端末などのコストダウンや小型化などにも貢献できる。
【００６７】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【図面の簡単な説明】
【００６８】
【図１】本発明の第１実施形態に係る盗撮防止装置の概略構成を示すブロック図である。
【図２】本発明の第１実施形態に係る盗撮防止装置の効果を説明する概略図である。
【図３】本発明の第１実施形態に係る盗撮防止装置が適用されたカメラ付き携帯電話装置の盗撮防止方法の概略を示すフローチャートである。
【図４】本発明の第１実施形態に係る盗撮防止装置が適用されたカメラ付き携帯電話装置の盗撮防止方法における光量・音量設定処理の概略を示すフローチャートである。
【図５】本発明の第２実施形態に係る盗撮防止装置の概略構成を示すブロック図であり、（ａ）はその基本形を示し、（ｂ）はその変形例、（ｃ）は別の変形例である。
【図６】本発明の第３実施形態に係る盗撮防止装置の概略構成を示すブロック図であり、（ａ）はその基本形を示し、（ｂ）はその変形例、（ｃ）は別の変形例である。
【図７】従来技術の盗撮防止装置の効果を説明する概略図である。
【符号の説明】
【００６９】
１        盗撮防止装置
２        カメラ付き携帯電話装置
３        被撮影者
４        光量測定部
５        距離測定部
６        マイク
７        光量・音量設定部
７ａ１、７ａ２、７ａ３    音量設定部
７ｂ１、７ｂ２、７ｂ３    光量設定部
８        ＬＥＤ
９        スピーカー
Ｄ        被撮影者までの距離
Ｌ０      周辺光量
Ｌ１      撮影通知光
Ｌ１ｒ    反射光
Ｓ０      周辺音量
Ｓ１      撮影通知音
Ｓ１ｒ    反射音
１００    撮像装置（従来技術）
１０１    盗撮防止装置（従来技術）
Ｌ１００  撮影通知光（従来技術）
Ｓ１００  撮影通知音（従来技術）
【図１】
2005303719.tif 000003
【図２】
2005303719.tif 000004
【図３】
2005303719.tif 000005
【図４】
2005303719.tif 000006
【図５】
2005303719.tif 000007
【図６】
2005303719.tif 000008
【図７】
2005303719.tif 000009